(57)【特許請求の範囲】
【請求項１】
駆動源の駆動力を受けて回転し、挿入口から挿入されたカードを搬送する搬送ローラを備えたカードリーダにおいて、
前記搬送ローラと前記カードの磁気情報を読み取る磁気ヘッドを前記カードが搬送される搬送路の前記挿入口側に前記搬送路の幅方向に並べて配置するとともに、前記駆動源の駆動力を前記カードリーダの奥側に伝達する伝達手段を前記搬送路内に設け、前記伝達手段は、前記搬送路の幅方向において前記搬送ローラを挟んで前記磁気ヘッドとは反対側に配置されていることを特徴とするカードリーダ。
【請求項２】
前記搬送ローラは、前記磁気ヘッドの近傍で、且つ、前記搬送路の幅方向における略中央に配置されていることを特徴とする請求項１記載のカードリーダ。
【請求項３】
前記伝達手段は、タイミングプーリとタイミングベルトからなり、前記搬送ローラの軸心と略平行な軸心を有する前記タイミングプーリが前記挿入口側と前記奥側とのそれぞれに対応した状態で前記カードの搬送方向に沿って並設されており、これらのタイミングプーリに前記タイミングベルトが張架されていることを特徴とする請求項１または２記載のカードリーダ。
【請求項４】
前記挿入口側に対応している前記タイミングプーリは前記搬送ローラと同軸上に配置されていることを特徴とする請求項３記載のカードリーダ。
【請求項５】
前記奥側に対応している前記タイミングプーリには、搬送中の前記カードを前記タイミングベルトに向けて押圧する押圧ローラが設けられていることを特徴とする請求項３又は４に記載のカードリーダ。
【発明の詳細な説明】
【技術分野】
【０００１】
本発明は、磁気カードやＩＣカードに対応するカードリーダに関し、さらに詳しくは、挿入口から挿入されたカードを駆動源の駆動力を受けて搬送するカードリーダに関する。
【背景技術】
【０００２】
従来のカードリーダにおいて、挿入口から挿入されたカードは、モータの駆動力を受けて駆動するローラやベルトなどによってカード搬送路内に取り込まれ、カードに対して情報の記録や再生などの適宜の処理が行われた後、上記のローラやベルトの駆動により挿入口から返却されるようになっている。
ローラやベルトなどを用いてカードを搬送する技術としては、例えば特許文献１が挙げられる。
【０００３】
特許文献１に示すカードリーダでは、図４（Ａ）、（Ｂ）に示すように、カード挿入口１０３から磁気カード１００が挿入されると、その磁気カード１００は対向して配置されている駆動ローラ１１１ａ〜１１１ｃと従動ローラ１１１ｄ〜１１１ｆとに挟持されてカード搬送路１０２内に搬送される。
駆動モータ１０８のモータ軸は、カード搬送路１１４内を構成する側板１０５から突出しており、モータ軸の先端部にはプーリが軸着されている。同様に、駆動軸１１０ａ〜１１０ｃは側板１０５から突出しており、駆動軸１１０ａ〜１１０ｃの先端部にはそれぞれプーリが軸着されている。モータ軸のプーリと各駆動軸１１０ａ〜１１０ｃのプーリとの間にはベルト１０９ａ、１０９ｂが張架されている。モータ１０８のモータ軸が回転するとプーリも回転し、この回転力がベルト１０９ｂを介して駆動軸１１０ａ〜１１０ｃに伝達されるようになっている。
【特許文献１】特開２００５−７８１３３号
【発明の開示】
【発明が解決しようとする課題】
【０００４】
しかしながら、特許文献１に示すカードリーダにおいて、モータなどの駆動源からの駆動力を搬送用及び排出用のベルトに適切に伝達するための複数のプーリやベルトなどがカードリーダの側板に突設されているので、カードリーダが大型化してしまうといった問題がある。
【０００５】
さらに、カードがカード長よりも長い距離を走行する場合には、例えば、搬送路をカード長よりも短い区間に区切って、その区間ごとにローラ対を配置し、これらのローラ対を乗り継がせるようにすれば良いが、このような構成にするとローラの設置数や各ローラに駆動力を伝達するための部材（例えば、ギア、ベルトなど）の点数が増大してしまうといった問題が生じる。特に、カードに磁気ストライプやＩＣチップなどが設けられている場合には、その磁気ストライプやＩＣチップの位置、すなわち磁気ストライプに記録されている情報を読み取る磁気ヘッドやＩＣチップに対して情報の読み取りや書き込みを行うＩＣ接点の位置を回避するようにローラを設置しなければならないため、各ローラにモータの駆動力を伝達する機構が複雑化し、部品点数が増大してしまうばかりかカードリーダの組み立ても困難になってしまい、製造コストの低廉化の妨げになるといった問題が生じる。
【０００６】
本発明は、上記課題を解決するためになされたものであり、部品点数の削減と構造の簡素化を図ることができるカードリーダを提供することを目的とする。
【課題を解決するための手段】
【０００７】
かかる目的を達成するため、本発明では、駆動源の駆動力を受けて回転し、挿入口から挿入されたカードを搬送する搬送ローラを備えたカードリーダにおいて、前記搬送ローラと前記カードの磁気情報を読み取る磁気ヘッドを前記カードが搬送される搬送路の前記挿入口側に前記搬送路の幅方向に並べて配置するとともに、前記駆動源の駆動力を前記カードリーダの奥側に伝達する伝達手段を前記搬送路内に設け、前記伝達手段は、前記搬送路の幅方向において前記搬送ローラを挟んで前記磁気ヘッドとは反対側に配置されていることを特徴とする。
これにより、上記カードを搬送する搬送路内に、搬送ローラとともに、この搬送ローラを駆動する駆動源の駆動力を伝達する伝達手段を設けたので、カードリーダの小型化を図ることができる。
【０００８】
また、本発明において、前記搬送ローラは、前記磁気ヘッドの近傍で、且つ、前記搬送路の幅方向における略中央に配置されていることが好ましい。
【０００９】
これにより、上記カードを搬送する搬送ローラは、上記磁気ヘッドの近傍であって、かつ、上記搬送路の幅方向におけるほぼ中央に配置されているので、蛇行を生じることなくカードを搬送することができ、安定した磁気情報の読取りを行なうことができる。
また、上記伝達手段は、カード搬送には影響しない位置に配置することができる。
【００１０】
さらに、前記伝達手段は、タイミングプーリとタイミングベルトからなり、前記搬送ローラの軸心と略平行な軸心を有する前記タイミングプーリが前記挿入口側と前記奥側とのそれぞれに対応した状態で前記カードの搬送方向に沿って並設されており、これらのタイミングプーリに前記タイミングベルトが張架されていることが好ましい。
これにより、伝達手段は、タイミングプーリとタイミングベルトを用いたので、伝達ロスを少なくでき、駆動源の駆動力を確実にカードリーダの奥側のタイミングプーリに伝達することができる。
さらに、カードリーダの挿入口側と奥側とに設けたタイミングプーリと、これら２つのプーリに掛け渡されたタイミングベルトで駆動力を伝達することができるので、部品点数を削減することができ、カードリーダの大型化を防止することができる。
【００１１】
また、本発明において、前記挿入口側に対応しているタイミングプーリは前記搬送ローラと同軸上に配置されていることが好ましい。
これにより、搬送ローラ部とタイミングベルト部でのカード搬送速度差を低減できるため、安定したカード搬送と磁気情報の読取りを行なうことができる。
また、上記搬送ローラと上記タイミングプーリとを連結する連結部材が不要となるので、部品点数の削減を図ることができる。
【００１２】
さらに、前記奥側に対応している前記タイミングプーリには、搬送中の前記カードを前記タイミングベルトに向けて押圧する押圧ローラが設けられていることが好ましい。
このように、奥側のタイミングプーリには、押圧ローラを設けたので、搬送されるカードをタイミングベルトと押圧ローラとの間で挟持ことができ、搬送することができる。
【発明の効果】
【００１３】
本発明では、駆動源の駆動力を受けて回転し、挿入口から挿入されたカードを搬送する搬送ローラを備えたカードリーダにおいて、前記搬送ローラを前記カードが搬送される搬送路の前記挿入口側に配置するとともに、前記駆動源の駆動力を前記カードリーダの奥側に伝達する伝達手段を前記搬送路内に設けたことを特徴とする。
これにより、上記カードを搬送する搬送路内に、搬送ローラとともに、この搬送ローラを駆動する駆動源の駆動力を伝達する伝達手段を設けたので、カードリーダの小型化を図ることができる。
【発明を実施するための最良の形態】
【００１４】
以下、本発明の構成を図面に示す最良の形態に基づいて詳細に説明する。
【００１５】
図１及び図２に本発明を適用したカードリーダの実施形態の一例を示す。図１は本発明に係るカードリーダの構成を示す平面図である。また、図２は、図１に示すカードリーダの構成の1-1線断面図であり、図３は、図１に示すカードリーダの構成の2-2線断面図である。
【００１６】
カードリーダ１には、図１、２、３に示すように、カード４を挿入する挿入口１ａと、カード４が搬送される搬送路５と、カード４をカードリーダ１内から排出する排出口１ｂが構成されている。なお、排出口１ｂには、キャプチャーボックス（図示せず）が設けられており、たとえば、使用済みカードを他人に悪用されないように、カードリーダ１内で保持できるようになっている。
さらに、搬送路５内には、カード４上に記録されている磁気情報を読み取る磁気ヘッド８と、ＩＣ接点１８を備えたＩＣ接点ブロック１６と、搬送ローラ９に駆動する駆動源としてのモータ１０と、モータ１０からの回転をカードリーダ１の挿入口１ａ側から奥側まで伝達する伝達手段と、挿入したカード４を搬送する搬送ローラ９と押圧ローラ１４とが配置されている。
【００１７】
本実施の形態において、図１及び図２に示すように、カードリーダ１は、本体ユニット２と、その上部に開閉自在に設けられた上部ユニット３とから構成されている。搬送路５は本体ユニット２、上部ユニット３、側板６、７によって囲まれて構成されている。
また、図２に示すように、上面５ａと下面５ｂとで、搬送路５に挿入されるカード４の厚みを規制するとともに、曲がったカード４を強制するようにしている。
【００１８】
本体ユニット２には、カード４の磁気ストライプ（不図示）に記録された磁気情報を読み取る磁気ヘッド８が設けられている。この磁気ヘッド８は、カード４に形成されている磁気ストライプの位置に対応するように、つまり、搬送路５において挿入口１ａ側で、側面５ｄに沿うように配置されており、さらに、読み取り面８ａが下面５ｂに形成されている開口５ｅから搬送路５内に露呈されている。
【００１９】
磁気ヘッド８の近傍には搬送ローラ９が配置され、挿入口１ａから搬送路５に挿入されたカード４を搬送するようになっている。すなわち、搬送ローラ９は、搬送路５の幅方向において磁気ヘッド８と隣り合い、且つ、搬送路５の幅方向における略中央に配置されている。搬送ローラ９はゴムからなる略円柱状のローラ本体９ａからなり、軸９ｂに固定され、一体的に回転するようになっている。
また、搬送ローラ９は、ローラ本体９ａの外周面の一部が搬送路５の下面５ｂに形成されている開口５ｆから搬送路５内に突出するように下面５ｂの下方で側板７に回動自在に軸支されている。
さらに、搬送ローラ９の軸９ｂと上部ユニット３に設けられているモータ１０の駆動軸とは複数のギア（ギア輪列）２０を介して連結されており、搬送ローラ９はモータ１０の駆動力を受けて回動する。
【００２０】
搬送ローラ９に対向する位置には、押圧ローラ１４が上部ユニット３の内部に設けられている。この押圧ローラ１４は、ゴムからなる略円柱状のローラ本体１４ａからなっており、軸１４ｂに回転自在に支持されている。
【００２１】
押圧ローラ１４は、その軸心が搬送ローラ９の軸心と略平行で、且つ、ローラ本体１４ａの外周面がローラ本体９ａの外周面に対向するように配置されており、上部ユニット３に回動自在に軸支されている。ローラ本体１４ａの外周面とローラ本体９ａの外周面との距離は、カード４の厚みよりも小さく設定されており、これにより挿入口１ａから搬送路５に挿入されたカード４は、ローラ本体９ａとローラ本体１４ａとで挟持されるようになっている。
【００２２】
搬送ローラ９の近傍には、図１に示すように、伝達手段としてのタイミングプーリ１１が配置されている。
この伝達手段は、モータ１０の駆動力をカードリーダ１の奥側に伝達するものであり、本実施の形態では、挿入口１ａ側に配置されたタイミングプーリ１１、奥側に配置されタイミングプーリ１２、及びタイミングベルト１３とからなっている。
これらタイミングプーリ１１、１２及びタイミングベルト１３は、搬送路５の幅方向において搬送ローラ９を挟んで磁気ヘッド８とは反対側に配置されている。
タイミングプーリ１１、１２は、カード４の搬送方向に沿ってカード４のカード長よりも僅かに短い間隔を置いて並設されている。
また、本実施の形態では、タイミングプーリ１１は、その軸が搬送ローラ９の軸９ｂと同軸上に配置されており、軸９ｂにビスや接着剤などで固着されている。
タイミングプーリ１２は、タイミングプーリ１１と同様の形状及び大きさを有している。また、タイミングプーリ１２は、搬送ローラ９の軸心と略平行な軸心を有しており、カードリーダ１の奥側（搬送路５の下流部）である排出口１ｂ近傍において下部ユニット２に回動自在に軸支されている。
【００２３】
このように配設されたタイミングプーリ１１、１２にはタイミングベルト１３が張架されている。タイミングベルト１３に対応するように搬送路５の下面５ｂには開口５ｇが形成されており、この開口５ｇからタイミングベルト１３の外周面の一部が搬送路５内に露呈されている。また、タイミングベルト１３の外周面において、開口５ｇから搬送路５内に露呈されている露呈面１３ａは、搬送路５内に僅かに侵入している。
【００２４】
さらに、挿入口１ａ側のタイミングプーリ１１において、タイミングベルト１３の露呈面１３ａは、搬送ローラ９がカード４と接触する接触面９ｃよりも、露呈面１３ａに略直交する方向で搬送路５と同等か、僅かに退避している。
換言すれば、タイミングプーリ１１に張架され、搬送路５に突出するタイミングベルト１３の背面の位置は、搬送ローラ９の外形の突出量とほぼ同等かそれ以下の位置になるようにしている。
このため、搬送ローラ９及び押圧ローラ１４とで挟持されたカード４は、タイミングベルト１３の影響を大きく受けることなく、搬送路５内を搬送することができるようになっている。
以上のように、タイミングベルト１３は、カードリーダ１の挿入口１ａ側と奥側（搬送路５の上流部と下流部）とを掛け渡し、搬送ローラ９からタイミングプーリ１１を介して伝達される回転力が、タイミングベルト１３によりカードリーダ１の奥側に配置されたタイミングプーリ１２に確実に伝達されるようになっている。
【００２５】
さらに、本実施の形態では、搬送路５に突出するタイミングベルト１３の背面の位置は、搬送ローラ９の外形の突出量とほぼ同等としている。このため、搬送ローラ９の搬送速度と、タイミングプーリ１１上のタイミングベルト１３の背面の位置での搬送速度とはほぼ同じとなる。そのため、カード４を安定して搬送することができるとともに、磁気ヘッド８との磁気情報の読み取り等に悪影響を与えるようなこともない。
【００２６】
挿入口１ａ側に配置されたタイミングプーリ１１には、対向する位置に押圧ローラが設けられていないので、タイミングプーリ１１はタイミングベルト１３を介して挿入されたカード４を挟持することができないようになっている。
その一方で、奥側に配置されたタイミングプーリ１２には、対向する位置に押圧ローラ１５が設けられている。押圧ローラ１５は、ゴムからなる略円柱状のローラ本体１５ａからなり、軸１５ｂに回転自在に支持されている。
この押圧ローラ１５は、その軸心が搬送ローラ９の軸心と略平行で、且つ、ローラ本体１５ａの外周面がタイミングベルト１３を介してタイミングプーリ１２の外周面に対向するように配置されており、側板６に回動自在に軸支されている。
また、ローラ本体１５ａの外周面はタイミングベルト１３に当接しており、これによりカード４はローラ本体１５ａとタイミングベルト１３とで挟持されるようになっている。
すなわち、搬送路５の奥側に搬送されたカード４は、押圧ローラ１５とタイミングベルト１３との間で挟持されて、排出口１ｂ側に搬送可能となっている。
【００２７】
搬送ローラ９に回転させる駆動源としてのモータ１０が、図１に示すように、挿入口１ａと搬送ローラ９及び押圧ローラ１４との間で搬送路５の上部ユニット３内に収納されている。
さらに、モータ１０の駆動軸には、複数のギア２０を介して連結されており、搬送ローラ９はモータ１０の駆動力を受けて回動するようにしている。
【００２８】
さらに、本実施の形態では、上部ユニット３の内部にはカード４に搭載されているＩＣチップ（図示省略）に対して電気的処理、すなわち、情報の読み出しや書き込みを行うＩＣ接点ブロック１６が設けられている。ＩＣ接点ブロック１６は、略Ｌ字状の支持部材１７と、導電性のバネ材からなる複数のＩＣ接点１８と、支持部材１７の奥側短部に形成された度当り部１７ａとから主な構成となっている。
ＩＣ接点ブロック１６は、二組のリンク機構１９により、搬送されるカード５に接近離反するように回動可能となっている。
度当り部１７ａは、その先端が搬送路５に突出しており、カード４の先端と当接可能となっている。カード４と当接した後は、カード４の奥側への搬送とともに、ＩＣ接点ブロック１６が搬送路５に接近するように設けられている。（図２において点線部分参照。）
また、カード４を排出口１ｂから排出する際、このＩＣ接点ブロック１６は、図示していないが、度当り部１７ａの先端が、カード４の搬送の邪魔にならない程度、搬送路５から離反するようになっている。
なお、ＩＣ接点ブロック１６の構成及び動作は周知であるので、ここでの詳細は説明は省略する。
【００２９】
次に、上記構成による動作について説明する。
先ず、カード４が挿入口１ａから挿入され、挿入口１ａ近傍のフォトセンサによってカード４が検知されると、カード４をカードリーダ１内に搬送する方向（図１においてＡ方向）に、モータ１０及び搬送ローラ９が回転を開始する。
挿入口１ａから挿入されたカード４の先端がローラ本体９ａの外周面とローラ本体１４ａの外周面との間に差し込まれると、カード４は搬送ローラ９の回転力を受けて搬送路５内に取り込まれる。
カード４は、搬送ローラ９と押圧ローラ１４との間で挟持されながら、搬送路５を搬送されている間に磁気ヘッド５によって磁気ストライプ上に記録されている磁気情報が読み取られる。
カード４が搬送ローラ９のＡ方向の回転力によってさらに搬送路５の奥側に搬送されると、やがてカード４の先端がＩＣ接点ブロック１６の度当り部１７ａを押圧する。
カード４の先端が度当り部１７ａをさらに奥側押圧すると、ＩＣ接点ブロック１６はリンク機構により図中反時計周り方向に回転し、ＩＣ接点１８がカード４のＩＣチップの入出力部に当接する。
これによりＩＣ接点ブロック１６によってＩＣチップに格納されている情報が読み取られる。または、情報が更新される。
所定の処理が行われた後、カード４を挿入口１ａ側に搬送する方向（図１においてＢ方向）に、モータ１０及び搬送ローラ９が回転する。
なお、上述した動作は周知のものであるので、ここでの詳細な説明は省略する。
【００３０】
次に、磁気ヘッド５によって読み取られた磁気情報とＩＣ接点ブロック１６によって読み取られた情報とに基づいてカード４が使用済みカードとして識別された場合について説明する。
この場合には、カード４は、挿入口１ａから排出されず、カードリーダ１の奥側に設けられた排出口１ｂから排出される。
そこで、カード４が使用済みカードであると識別されると、モータ１０及び搬送ローラ９はＡ方向に回転する。
このとき、搬送ローラ９のローラ本体９ａが支持されている軸９ｂには、伝達手段のタイミングプーリ１１が固定されているので、同じ方向に回転する。そのため、タイミングプーリ１１に係合しているタイミングベルト１３を介して、その回転は奥側に配置されているタイミングプーリ１２に回転が伝達される。
搬送ローラ９と押圧ローラ１４との間に挟持されながら搬送路５上を搬送されているカード４の先端は、タイミングベルト１３を介してタイミングプーリ１２と押圧ローラ１５との間に差し込まれる。
搬送ローラ９の回転がさらに進むと、カード４は、その後端は搬送ローラ９と押圧ローラ１４との挟持から離れるが、カード４の先端がタイミングプーリ１２と押圧ローラ１５との間に挟持されながら、さらにカードリーダ１の奥側に搬送される。
その後、搬送ローラ９の回転がさらに進むと、やがてカード４は排出口１ｂからキャプチャーボックスに排出される。
なお、カード４を排出口１ｂから排出する際、ＩＣ接点ブロック１６はその度当り部１７ａの先端がカード４の搬送を邪魔しないように搬送路５からさらに離反する。
【００３１】
（本実施の形態の主な効果）
本実施の形態では、カードリーダ１は、モータ１０の駆動力を受けて回転し、挿入口１ａから挿入されたカード４を搬送する搬送ローラ９及び押圧ローラ１４を備えており、この搬送ローラ９及び押圧ローラ１４をカード４が搬送される搬送路５の挿入口１ａ側に配置するとともに、モータ１０の駆動力をカードリーダ１の奥側に伝達する伝達手段としてのタイミングプーリ１１，１２とタイミングベルト１３を搬送路５内に設けている。これにより、カード４を搬送する搬送路５内に、タイミングプーリ１１、１２及びタイミングベルト１３を配置したので、カードリーダ１を小型化することができる。さらに、これらタイミングプーリ１１、１２及びタイミングベルト１３によって、この搬送ローラ９を駆動するモータ１０の駆動力をカードリーダ１の奥側に伝達することができる。
【００３２】
また、カードリーダ１は、カード４を搬送する搬送ローラ９及び押圧ローラ１４は、磁気ヘッド８の近傍であって、かつ、搬送路５の幅方向におけるほぼ中央に配置されているので、搬送速度を一定にでき、安定した磁気情報の読み取り等がおこなうことができる。
【００３３】
さらに、カード４を搬送する搬送ローラ９は、磁気ヘッド８の近傍であって、かつ、搬送路５の幅方向におけるほぼ中央に配置されているので、蛇行を生じることなくカード４を搬送することができ、安定した磁気情報の読取りが行なうことができる。
また、伝達手段は、カード搬送には影響しない位置に配置することができる。
【００３４】
また、カードリーダ１において、挿入口１ａ側に対応しているタイミングプーリ１１は搬送ローラ９と同軸上に配置されているので、搬送ローラ９とタイミングベルト１３でのカード搬送速度差を低減できるため、安定したカード搬送と磁気情報の読取りが行なうことができる。
また、搬送ローラ９とタイミングプーリ１１とを連結する連結部材が不要となるので、部品点数の削減を図ることができる。
【００３５】
さらに、奥側に対応しているタイミングプーリ１２には、搬送中のカード４をタイミングベルト１３に向けて押圧する押圧ローラ１５が設けられているので、搬送されるカード４をタイミングベルト１３を介してタイミングプーリ１２と押圧ローラ１５との間で挟持ことができ、カード４を搬送することができる。
【００３６】
さらに、タイミングベルト１３の露呈面１３ａを、搬送ローラ９の接触面９ｃよりも露呈面１３ａに略直交する方向で搬送路５と同等か退避させるようにしたので、搬送ローラ９の回転力がカード４の搬送に寄与しているときにタイミングベルト１３の駆動力がカード４に対して与える影響を小さくすることができ、磁気ヘッド８による磁気情報の読み取り、あるいは磁気ヘッド８のカード４に対しての書き込みを安定して行うことができる。
【００３７】
なお、上述の形態は本発明の好適な形態の一例ではあるがこれに限定されるものではなく本発明の要旨を逸脱しない範囲において種々変形実施可能である。
例えば、伝達手段は、タイミングプーリ１１、１２及びタイミングベルト１３に限定されるものではなく、これ以外の伝達手段であってもよい。
【００３８】
また、上記実施形態では、タイミングプーリ１１と搬送ローラ９とを同軸上に配置したが、必ずしも同軸上に配置する必要はなく、タイミングプーリ１１の軸心と搬送ローラ９の軸心とが略平行に配置されていれば良く、この場合、タイミングプーリ１１の軸と搬送ローラ９の軸９ｂとをギアなどの連結部材を介して連結して、搬送ローラ９の回転力をタイミングプーリ１１に伝達するようにすれば良い。なお、搬送ローラ９の軸９ｂとタイミングプーリ１１の軸との距離はできるだけ短く設定することが好ましい。
これにより搬送ローラ９の回転力をタイミングプーリ１１に伝達する機構の小型化を図ることができる。
【００３９】
上記実施形態では、タイミングプーリ１１を搬送ローラ９の軸９ｂに固着し、タイミングプーリ１１の回転と搬送ローラ９の回転とが同期するようにしたが、搬送ローラ９の回転周期とタイミングプーリ１１の回転周期とが異なるように設定しても良い。
この場合、搬送ローラ９の回転力を互いに歯数の異なる複数のギアを介してタイミングプーリ１１に伝達すれば良い。
【００４０】
上記実施形態では、タイミングプーリ１１とタイミングプーリ１２との間隔がカード長よりも短くなるように設定されているが、タイミングプーリ１１とタイミングプーリ１２との間隔をカード長よりも長く設定し、カード４の搬送距離を伸ばしても良い。
この場合、カード長よりも短い区間ごとにタイミングベルト１３の露呈面１３ａに対向するように押圧ローラを設ければ良い。
さらに、タイミングベルト１３の内周面にローラを宛がってタイミングベルト１３の張力を高めることが好ましい。
【００４１】
また、排出口１ｂから排出されるカード４を使用済みカードとしたが、これに限ることなく、挿入口１ａから排出させたくないカードや、カードユーザがカードを取り忘れた場合の回収手段であってもよい。
さらに、排出口１ｂ側にカード発行装置を設け、新しいカードを排出口１ｂからカードリーダ１内に挿入するようにしてもよい。
【００４２】
上記実施形態では、磁気ヘッド８とＩＣ接点ブロック１６の両方が搭載されたカードリーダ１を採用しているが、磁気ヘッド８とＩＣ接点ブロック１６とのいずれか一方のみが搭載されたカードリーダであっても良く、カードを搬送する機能を有するカードリーダであれば本発明を適用することができる。
【図面の簡単な説明】
【００４３】
【図１】本発明に係るカードリーダの構成を示す平面図である。
【図２】図１に示すカードリーダの構成の1-1から見た断面図である。
【図３】図１に示すカードリーダの構成の2-2から見た断面図である。
【図４】従来のカードリーダの構成を示すものであり、（Ａ）は平面断面図であり、（Ｂ）は縦断面図である。
【符号の説明】
【００４４】
１  カードリーダ
１ａ  挿入口
４  カード
５  搬送路
８  磁気ヘッド
９  搬送ローラ
１０  モータ
１１、１２  タイミングプーリ
１３  タイミングベルト
１４、１５  押圧ローラ
【図１】
0004648795.tif 000002
【図２】
0004648795.tif 000003
【図３】
0004648795.tif 000004
【図４】
0004648795.tif 000005